(57)【要約】【課題】メールのメッセージの編集作業において、送信相手によっては、入力された仮名文字の変換候補となる複数の単語から、一つの単語を選択するときの作業効率が低下してしまうという課題がある。【解決手段】メール中で使用される可能性がある複数の単語を得るために入力すべき文字と、複数の単語と、送信相手のそれぞれの特性に合わせて複数の単語を表示する順位と、の関係を送信相手毎に記憶している記憶部９と、文字を入力するための入力部２と、入力された文字に対応する、送信相手の、複数の単語と順位との関係を参照することにより、入力された文字に対応する複数の単語を順位に従って表示させる制御部５と、表示された複数の単語のうち、メール中で使用する単語の選択を行うべく、選択のための操作部４と、入力された文字を使用する単語に変換すべく、単語を選択する選択部６と、を含むメール作成用単語変換装置１を提供する。【選択図】図１
2010009273.tif 000002
【特許請求の範囲】
【請求項１】
表示部と、
メール中で使用される可能性がある複数の単語を得るために入力すべき文字と、前記複数の単語と、複数の送信相手のそれぞれの特性に合わせて前記複数の単語を前記表示部に表示する順位と、の関係を前記送信相手毎に記憶している記憶部と、
一の送信相手宛てに作成しようとするメール中で使用する単語を得るべく、文字を入力するための入力部と、
入力された前記文字に対応する、前記一の送信相手用の、前記複数の単語と前記順位との前記関係を参照することにより、入力された前記文字に対応する前記複数の単語を前記順位に従って前記表示部に表示させる制御部と、
前記表示部に表示された複数の単語のうち、前記メール中で使用する前記単語の選択を行うべく、当該選択のためのカーソルを移動させる操作部と、
入力された前記文字を前記使用する単語に変換すべく、前記カーソルが移動された前記単語を選択する選択部と、を含むことを特徴とするメール作成用単語変換装置。
【請求項２】
請求項１に記載のメール作成用単語変換装置であって、
前記順位は、前記メールより以前に前記一の送信相手宛てに作成した複数のメールにおいて、単語の出現回数が多い順に設定されていることを特徴とするメール作成用単語変換装置。
【請求項３】
請求項２に記載のメール作成用単語変換装置であって、
前記順位は、前記メールより以前に前記一の送信相手宛てに作成した複数のメールのうち、所定の送信回数における複数のメールにおいて、単語の出現回数が多い順に設定されていることを特徴とするメール作成用単語変換装置。
【請求項４】
請求項１に記載のメール作成用単語変換装置であって、
前記順位は、前記メールより以前に前記一の送信相手宛てに直近のメールを作成したときに決定された単語が最上位に設定されていることを特徴とするメール作成用単語変換装置。
【請求項５】
請求項１〜４のいずれか一項に記載のメール作成用単語変換装置を含む電子機器。
【請求項６】
メール中で使用される可能性がある複数の単語を得るために入力すべき文字と、前記複数の単語と、複数の送信相手のそれぞれの特性に合わせて前記複数の単語を表示部に表示する順位と、の関係を前記送信相手毎に記憶している記憶工程と、
一の送信相手宛てに作成しようとするメール中で使用する単語を得るべく、文字を入力するための入力工程と、
入力された前記文字に対応する、前記一の送信相手用の、前記複数の単語と前記順位との前記関係を参照することにより、入力された前記文字に対応する前記複数の単語を前記順位に従って前記表示部に表示させる制御工程と、
前記表示部に表示された複数の単語のうち、前記メール中で使用する前記単語の選択を行うべく、当該選択のためのカーソルを移動させる操作工程と、
入力された前記文字を前記使用する単語に変換すべく、前記カーソルが移動された前記単語を選択する選択工程と、を含むことを特徴とするメール作成用単語変換方法。
【請求項７】
メール中で使用される可能性がある複数の単語を得るために入力すべき文字と、前記複数の単語と、複数の送信相手のそれぞれの特性に合わせて前記複数の単語を表示部に表示する順位と、の関係を前記送信相手毎に記憶している記憶機能と、
一の送信相手宛てに作成しようとするメール中で使用する単語を得るべく、文字を入力するための入力機能と、
入力された前記文字に対応する、前記一の送信相手用の、前記複数の単語と前記順位との前記関係を参照することにより、入力された前記文字に対応する前記複数の単語を前記順位に従って前記表示部に表示させる制御機能と、
前記表示部に表示された複数の単語のうち、前記メール中で使用する前記単語の選択を行うべく、当該選択のためのカーソルを移動させる操作機能と、
入力された前記文字を前記使用する単語に変換すべく、前記カーソルが移動された前記単語を選択する選択機能と、を実現させるために実行することを特徴とするメール作成用単語変換プログラム。
【発明の詳細な説明】
【技術分野】
【０００１】
本発明は、メール作成用単語変換装置、メール作成用単語変換装置を含む電子機器、メール作成用単語変換方法、メール作成用単語変換プログラムに関する。
【背景技術】
【０００２】
メールのメッセージを編集しようとするとき、メールの編集者は、入力された仮名文字の変換候補となる複数の単語の中から一つの単語を選択して、仮名文字からの変換操作を行う。例えば、カーソルの位置を移動させるためのボタンを用いてカーソルを移動させ、移動したカーソルの位置にある一つの単語を選択する。例えば、仮名文字「の」の変換候補として「ノート」、「乗る」、「延びる」、「納品」、「納期」の順に並んで表示され、カーソルの位置が「ノート」の位置にあるとき、カーソルを隣接する単語に１回ずつ移動させるボタン操作を４回行うことで「納期」が選択され、仮名文字「の」から「納期」に変換される。
このボタン操作の操作回数が少なければ、メッセージの編集における作業効率が向上することになる。そこで、例えば、特許文献１では、メールの送信相手を複数の送信先グループに分類し、それぞれの送信先グループに対応する、入力文字と変換候補となる複数の単語との組み合わせを学習結果として記憶する記憶手段が提案されている。
【０００３】
【特許文献１】特開２００４−３１０３０２号公報
【発明の開示】
【発明が解決しようとする課題】
【０００４】
しかしながら、メールの送信相手が同じ送信先グループに属する場合であっても、一人の送信相手にメッセージを編集するときと、他の送信相手にメッセージを編集するときとでは、変換候補となる複数の単語から選択される一つの単語が異なる場合がある。従って、仮名文字から一つの単語に変換するときのボタン操作の回数が異なる場合がある。例えば、同じ送信先グループに属する職場の仲間において、送信相手が上司である場合、同僚である場合、同じ趣味を嗜む仲間である場合などの違いにより、入力された仮名文字から変換される単語が異なる場合がある。そのような場合においては、送信相手によっては、選択しようとする単語の位置までカーソルを移動させるボタン操作の回数が多くなってしまうことがある。
このように、メールのメッセージの編集作業において、送信相手によっては、入力された仮名文字の変換候補となる複数の単語から、一つの単語を選択するときの作業効率が低下してしまうという課題がある。
【課題を解決するための手段】
【０００５】
本発明は、上記課題の一部を解決するためになされたものであり、以下の形態または適用例として実現することが可能である。
【０００６】
［適用例］表示部と、メール中で使用される可能性がある複数の単語を得るために入力すべき文字と、前記複数の単語と、複数の送信相手のそれぞれの特性に合わせて前記複数の単語を前記表示部に表示する順位と、の関係を前記送信相手毎に記憶している記憶部と、一の送信相手宛てに作成しようとするメール中で使用する単語を得るべく、文字を入力するための入力部と、入力された前記文字に対応する、前記一の送信相手用の、前記複数の単語と前記順位との前記関係を参照することにより、入力された前記文字に対応する前記複数の単語を前記順位に従って前記表示部に表示させる制御部と、前記表示部に表示された複数の単語のうち、前記メール中で使用する前記単語の選択を行うべく、当該選択のためのカーソルを移動させる操作部と、入力された前記文字を前記使用する単語に変換すべく、前記カーソルが移動された前記単語を選択する選択部と、を含むことを特徴とするメール作成用単語変換装置。
【０００７】
この構成によれば、メール中で使用される可能性がある複数の単語を得るために入力すべき文字と、複数の単語と、複数の送信相手のそれぞれの特性に合わせて複数の単語を表示部に表示する順位と、の関係を送信相手毎に記憶している記憶部と、一の送信相手用の、複数の単語と順位との関係を参照することにより、入力された文字に対応する複数の単語を順位に従って表示部に表示させる制御部を備える。これにより、例えば、送信相手によって選択される単語が異なっても、選択しようとする単語の位置までカーソルを移動させるボタン操作の回数を少なくすることができる。従って、例えば、メッセージの編集作業において、入力された仮名文字の変換候補となる複数の単語から、一つの単語を選択するときの作業効率を向上させることができる場合がある。
【０００８】
［適用例］前記順位は、前記メールより以前に前記一の送信相手宛てに作成した複数のメールにおいて、単語の出現回数が多い順に設定されていることを特徴とする上記メール作成用単語変換装置。
【０００９】
このようにすれば、選択される可能性が高い単語の表示される順位が高くなる。これにより、送信相手によって選択される単語が異なっても、選択しようとする単語の位置までカーソルを移動させるボタン操作の回数を少なくすることができる。
【００１０】
［適用例］前記順位は、前記メールより以前に前記一の送信相手宛てに作成した複数のメールのうち、所定の送信回数における複数のメールにおいて、単語の出現回数が多い順に設定されていることを特徴とする上記メール作成用単語変換装置。
【００１１】
このようにすれば、選択される可能性が高い単語の表示される順位が高くなる。これにより、送信相手によって選択される単語が異なっても、選択しようとする単語の位置までカーソルを移動させるボタン操作の回数を少なくすることができる。
【００１２】
［適用例］前記順位は、前記メールより以前に前記一の送信相手宛てに直近のメールを作成したときに決定された単語が最上位に設定されていることを特徴とするメール作成用単語変換装置。
【００１３】
このようにすれば、選択される可能性が高い単語の表示される順位が高くなる。これにより、送信相手によって選択される単語が異なっても、選択しようとする単語の位置までカーソルを移動させるボタン操作の回数を少なくすることができる。
【００１４】
［適用例］上記メール作成用単語変換装置を含む電子機器。
【００１５】
［適用例］メール中で使用される可能性がある複数の単語を得るために入力すべき文字と、前記複数の単語と、複数の送信相手のそれぞれの特性に合わせて前記複数の単語を表示部に表示する順位と、の関係を前記送信相手毎に記憶している記憶工程と、一の送信相手宛てに作成しようとするメール中で使用する単語を得るべく、文字を入力するための入力工程と、入力された前記文字に対応する、前記一の送信相手用の、前記複数の単語と前記順位との前記関係を参照することにより、入力された前記文字に対応する前記複数の単語を前記順位に従って前記表示部に表示させる制御工程と、前記表示部に表示された複数の単語のうち、前記メール中で使用する前記単語の選択を行うべく、当該選択のためのカーソルを移動させる操作工程と、入力された前記文字を前記使用する単語に変換すべく、前記カーソルが移動された前記単語を選択する選択工程と、を含むことを特徴とするメール作成用単語変換方法。
【００１６】
［適用例］メール中で使用される可能性がある複数の単語を得るために入力すべき文字と、前記複数の単語と、複数の送信相手のそれぞれの特性に合わせて前記複数の単語を表示部に表示する順位と、の関係を前記送信相手毎に記憶している記憶機能と、一の送信相手宛てに作成しようとするメール中で使用する単語を得るべく、文字を入力するための入力機能と、入力された前記文字に対応する、前記一の送信相手用の、前記複数の単語と前記順位との前記関係を参照することにより、入力された前記文字に対応する前記複数の単語を前記順位に従って前記表示部に表示させる制御機能と、前記表示部に表示された複数の単語のうち、前記メール中で使用する前記単語の選択を行うべく、当該選択のためのカーソルを移動させる操作機能と、入力された前記文字を前記使用する単語に変換すべく、前記カーソルが移動された前記単語を選択する選択機能と、を実現させるために実行することを特徴とするメール作成用単語変換プログラム。
【発明を実施するための最良の形態】
【００１７】
以下、具体化した実施例について図面に従って説明する。
（第１実施例）
図１は、本実施例のメール作成用単語変換装置１の構成を示すブロック図である。図２は、本実施例のメール作成用単語変換装置１を備えた携帯電話３０の外観斜視図である。  
【００１８】
図１の入力部２は、図２の携帯電話３０に備えられた複数の入力用ボタン３４から構成される。一つの送信相手宛てに作成しようとする電子メール（以降はメールと称する。）中で使用する単語を得るべく、メールのメッセージを編集する編集者は、入力用ボタン３４を押すことにより仮名文字を入力する。入力された仮名文字は、ＲＡＭ１０に文字情報として記憶され、更に表示部３に出力する順位を決定する制御部５に送られる。
【００１９】
不揮発性メモリ７は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、フラッシュメモリなどからなり、記憶内容の書き込みと消去が可能で、電源が供給されなくても記憶を保持する。
【００２０】
不揮発性メモリ７には、記憶領域としての記憶部９が備えられる。記憶部９には、仮名文字などの文字と、複数の単語と、複数の単語を表示部３に表示する順位と、の関係を複数の送信相手毎に記憶しているテーブルを有する。仮名文字などの文字は、メール中で使用される可能性がある複数の単語を得るために入力すべき文字である。順位は、複数の送信相手のそれぞれの特性に合わせて設定されたものである。不揮発性メモリ７における記憶部９以外の領域には、送信したメールや受信したメールなどが記憶される。
【００２１】
表示部３は、例えば、液晶画面から構成される。表示部３には、入力用ボタン３４によって入力された仮名文字が表示される。更に表示部３には、仮名文字から変換される候補となる複数の単語が表示される。
【００２２】
操作部４は、携帯電話３０に備えられたカーソル用ボタン３２、３３から構成される。編集者によるカーソル用ボタン３２、３３の操作により、仮名文字から変換される候補となる複数の単語の表示位置の範囲を、一つのカーソルが移動する。カーソル用ボタン３２を押すと、図面左側にカーソルが移動し、カーソル用ボタン３３を押すと、図面右側にカーソルが移動する。
【００２３】
選択部６は、携帯電話３０に備えられた選択用ボタン３１から構成される。編集者による選択用ボタン３１の操作により、表示部３に表示された、入力された仮名文字から変換される候補となる複数の単語のうち、カーソルが静止している位置の一つの単語を選択することができる。
【００２４】
制御部５は、入力部２によって入力された文字を表示部３に表示する。制御部５は、入力された文字に対応する、一の送信相手用の、複数の単語と順位との関係を記憶した記憶部９を参照することにより、入力された文字に対応する複数の単語を順位に従って表示部３に表示させる。
【００２５】
制御部５は、表示部３に表示されている仮名文字を、選択部６によって選択された単語で置き換えて表示する。すなわち、制御部５は、仮名文字から選択部６によって選択された単語に変換して表示部３に表示する。
【００２６】
制御部５は、ＣＰＵから構成され、ＲＯＭ８に格納されたプログラムをＲＡＭ１０に読み出して、実行することにより、入力部２、操作部４、選択部６、表示部３のそれぞれの機能を実現させる。
【００２７】
次に、記憶部９に記憶された複数の送信相手別のテーブルについて説明する。図３（ａ）は、一つの送信相手としてのＡ氏のテーブルの内容を示す表である。本実施例では、入力用ボタン３４によって、仮名文字としての「の」が入力された一つの例について説明する。
【００２８】
図３（ａ）のテーブルにおける一つのレコードは、仮名文字、単語、順位の項目からなる。テーブルの仮名文字の列には、メール中で使用される可能性がある複数の単語を得るために入力する文字として仮名文字「の」が格納され、単語の列は、仮名文字が「の」であったときに、メール中で使用される可能性がある複数の単語を示す。すなわち、単語の列に記載された複数の単語は、仮名文字「の」から変換される候補である。順位は、単語の列に記載された複数の単語を表示部３に表示するそれぞれの順位を示す。
【００２９】
図３（ｂ）は、図３（ａ）のＡ氏のテーブルに基づいて、単語の列に記載された複数の単語が表示部３に表示される様子を示す図である。表示部３は、メールのメッセージを編集するための編集エリア３５と、複数の単語が表示される単語表示エリア３６とからなる。
【００３０】
編集エリア３５には、入力用ボタン３４によって入力された仮名文字としての「の」が表示されていることを示す。単語表示エリア３６には、各順位に従って、複数の単語が、図面左側から右側の順、図面上側から下側の順に並ぶ。すなわち、単語表示エリア３６には、「納期２３、納品２４、納入２５、残り２６、乗る２７、飲み２８」の順序で単語が並んで表示される。
【００３１】
カーソル３７は、カーソル用ボタン３２、３３によって、単語表示エリア３６内に表示された複数の単語の位置を移動する。図３（ｂ）のカーソル３７は、納期２３の位置にあることを示す。
【００３２】
本実施例におけるＡ氏は、職場における編集者の上司である。編集者がこれまでＡ氏に送信したメールのメッセージには、「納期」、「納品」、「納入」などの業務で使用する単語の出現回数が多く、従って、Ａ氏のテーブルには、業務関係の単語の順位が上位にある。本実施例においても、編集者は、単語表示エリア３６に表示された複数の単語のうち、選択用ボタン３１によって「納期２３」を選択する。選択用ボタン３１によって「納期２３」が選択されると、制御部５は、編集エリア３５の「の」に置き換えて、「納期」を表示する。
【００３３】
このようなとき、カーソル３７は、既に「納期２３」の位置にあるので、編集者は、カーソル用ボタン３２、３３を操作することなく「納期２３」を選択することができる。すなわち、カーソル用ボタン３２、３３による操作回数を少なくすることができる。従って、仮名文字「の」から「納期」に変換するうえでの編集作業における作業効率がよい。
【００３４】
図４（ａ）は、一つの送信相手としてのＢ氏のテーブルの内容を示す表である。Ｂ氏のテーブルは、記憶部９に格納される。図４（ｂ）は、図４（ａ）のＢ氏のテーブルに基づいて、単語の列に記載された複数の単語が表示部３に表示される様子を示す図である。図３（ａ）、（ｂ）を用いて説明したように、一例として、入力用ボタン３４によって、仮名文字「の」が入力された場合について説明する。
【００３５】
図４（ｂ）単語表示エリア３６には、図４（ａ）のＢ氏のテーブルの各単語の順位に基づき、「飲み２８、乗る２７、納品２４、納入２５、残り２６、納期２３」の順序で並んで表示する。
【００３６】
本実施例におけるＢ氏は、メールのメッセージを編集する編集者とは同じ職場における同僚であり、飲み会に参加する機会が多い関係にあるとする。編集者がこれまでにＢ氏に送信するメールのメッセージには、「飲み２８」、「乗る２７」などの業務以外で使用する単語が比較的多く出現している。本実施例においても、編集者は、入力文字「の」によって表示された複数の単語のうち、選択用ボタン３１によって「飲み２８」を選択する。選択用ボタン３１によって「飲み２８」が選択されると、制御部５は、編集エリア３５の「の」に置き換えて、「飲み」を表示する。
【００３７】
このようなとき、カーソル３７は、既に「飲み２８」の位置にあるので、編集者は、カーソル用ボタン３２、３３を操作することなく「飲み２８」を選択することができる。すなわち、カーソル用ボタン３２、３３による操作回数を少なくすることができる。従って、メッセージの編集作業の効率がよい。
【００３８】
このように、Ａ氏とＢ氏とは、編集者と同じ職場に属する関係であり、メールの宛て名を登録したアドレス帳において同じグループに登録されていても、仮名文字に対応する一つの単語を表示された複数の単語のうちから選択しようとするとき、選択する単語は、送信相手がＡ氏とＢ氏とでは異なることがある。そこで、入力された文字に対応する複数の単語と順位との組み合わせからなるテーブルをＡ氏、Ｂ氏それぞれ別々に記憶部９に備える。これにより、メールのメッセージの編集作業の効率が向上する。
【００３９】
次に、出現回数が多い順に順位を設定する方法について説明する。図５は、記憶部９に記憶されたＡ氏のテーブルにおける出現回数を記載した表である。
【００４０】
図５の最新の列は、Ａ氏に最新のメールを送信したときに、送信したメールのメッセージに出現した単語の回数である。１回前の列は、最新のメールより１回分前のメールのメッセージにおいて出現した単語の回数である。２回前の列は、最新のメールより２回分前のメールのメッセージにおいて出現した単語の回数である。
【００４１】
本実施例では、このように最新のメールから２回分前のメールまでである過去３回分送信したメールのメッセージにおける出現回数について説明する。最新のメールから３回分前のメールのメッセージにおける出現回数は削除される。
【００４２】
図５の出現総回数の列は、最新、１回前、２回前の列における出現回数を合計した数値である。図５に示すように、出現総回数が多い方から、単語の順位が高い。このようにすれば、選択される可能性が高い単語の表示される順位が高くなる。従って、メッセージの編集作業において、入力された仮名文字の変換候補となる複数の単語から、一つの単語を選択する作業効率を向上させることができる。
【００４３】
次に、表示部３に複数の単語を表示する処理方法について説明する。図６は、表示部３に複数の単語を表示するプログラムのフローチャートである。本プログラムは、メール作成用のプログラムを起動し、メールの送信相手を設定した後、メッセージを編集しているときに実行される。
【００４４】
ステップＳ１００では、図１の制御部５は、メールの送信相手に対応するテーブルを記憶部９からＲＡＭ１０に読み込む。ステップＳ１１０では、制御部５は、入力部２の入力用ボタン３４から入力された仮名文字を表示部３の編集エリア３５に表示する（図３（ｂ）、図４（ｂ）参照）。
【００４５】
ステップＳ１２０では、制御部５は、入力した仮名文字に対応する複数の単語を、表示部３に表示する順位からなる順序でテーブルから取得する。
【００４６】
ステップＳ１３０では、制御部５は、複数の単語を取得した順序に従って、表示部３の単語表示エリア３６に表示する（図３（ｂ）、図４（ｂ）参照）。
【００４７】
次に、単語を表示部３に表示する順位を設定する処理方法について説明する。図７は、単語を表示部３に表示する順位を設定するプログラムのフローチャートである。本実施例では、メールの送信が成功したときに本プログラムを実行する。以下、制御部５が行う処理の内容を記載する。図７のフローチャートは、例えば「の」である一つの仮名文字に対応する複数の単語における処理を示す。
【００４８】
ステップＳ２００では、記憶部９からテーブルをＲＡＭ１０に読み出す。ステップＳ２１０では、ＲＡＭ１０のテーブルの２回前の出現回数を１回前の出現回数で置き換えて更新する。ステップＳ２２０では、ＲＡＭ１０のテーブルの１回前の出現回数を最新の出現回数で置き換えて更新する。ステップＳ２３０では、ＲＡＭ１０のテーブルの最新の出現回数を０に更新する。
【００４９】
ステップＳ２４０では、送信したメールにおける単語の出現回数を算出する。ステップＳ２５０では、メッセージにおける単語は、ＲＡＭ１０のテーブルに記憶されている単語か否かを判定する。テーブルに記憶されている単語であるときは（Ｙｅｓ）、ステップＳ２６０に進み、テーブルに記憶されている単語ではないときは（Ｎｏ）、ステップＳ２７０に進む。
【００５０】
ステップＳ２６０では、ＲＡＭ１０のテーブルの同じ単語における最新の出現回数に記憶し、ステップＳ２８０に進む。
【００５１】
ステップＳ２７０では、ＲＡＭ１０のテーブルにレコードを追加し、単語、最新の出現回数を記憶する。ステップＳ２８０では、ＲＡＭ１０のテーブルの単語における最新、１回前、２回前の出現回数からなる出現総回数を算出する。
【００５２】
ステップＳ２９０では、ＲＡＭ１０のテーブルの単語の出現総回数における順位を算出して設定する。ステップＳ３００では、ＲＡＭ１０のテーブルの７位以下であるレコードを削除する。ステップＳ３００では、ステップＳ２５０でＲＡＭ１０のテーブルにある単語と同じと判定され、ステップＳ２７０でレコードが追加されなかったときは、レコードの削除は行わない。ステップＳ３１０では、記憶部９のテーブルを削除し、記憶部９にＲＡＭ１０のテーブルを記憶する。
【００５３】
本実施例では、仮名文字としての「の」を入力する場合について説明したが、他の仮名文字１字であってもよい。また、仮名文字は、例えば「のう」などのような複数の仮名文字であってもよい。
【００５４】
以上、説明したように、本実施例におけるメール作成用単語変換装置１は、表示部３と、メール中で使用される可能性がある複数の単語を得るために入力すべき文字としての仮名文字と、複数の単語と、送信相手としてのＡ氏、Ｂ氏のそれぞれの特性に合わせて複数の単語を表示部３に表示する順位と、の関係をＡ氏、Ｂ氏別に記憶している記憶部９と、一の送信相手宛てに作成しようとするメール中で使用する単語を得るべく、文字を入力するための入力部２と、入力された仮名文字に対応する、Ａ氏、Ｂ氏用の、複数の単語と順位との関係を参照することにより、入力された仮名文字に対応する複数の単語を順位に従って表示部３に表示させる制御部５と、表示部３に表示された複数の単語のうち、メール中で使用する単語の選択を行うべく、当該選択のためのカーソル３７を移動させる操作部４と、入力された仮名文字を使用する単語に変換すべく、カーソル３７が移動された単語を選択する選択部６と、を含む。
【００５５】
この構成によれば、メール中で使用される可能性がある複数の単語を得るために入力すべき文字としての仮名文字と、複数の単語と、送信相手としてのＡ氏、Ｂ氏のそれぞれの特性に合わせて複数の単語を表示部３に表示する順位と、の関係をＡ氏、Ｂ氏別に記憶している記憶部９と、一の送信相手用の、複数の単語と順位との関係を参照することにより、入力された文字に対応する複数の単語を順位に従って表示部３に表示させる制御部５を備える。
【００５６】
これにより、送信相手によって選択される単語が異なっても、操作部４のカーソル用ボタン３２、３３を用いて、選択しようとする単語の位置までカーソル３７を移動させるボタン操作の回数を少なくすることができる。従って、メッセージの編集作業において、表示部３に表示された複数の単語のうちから、一つの単語を選択するときの作業効率を向上させることができる。
【００５７】
また、表示部３に単語を表示する順位は、メールより以前に一の送信相手宛てに作成した複数のメールにおいて、単語の出現回数が多い順に設定されている。
【００５８】
このようにすれば、選択される可能性が高い単語の表示される順位が高くなる。これにより、送信相手によって選択される単語が異なっても、操作部４のカーソル用ボタン３２、３３を用いて、選択しようとする単語の位置までカーソル３７を移動させるボタン操作の回数を少なくすることができる。
【００５９】
本実施例では、単語表示エリア３６に６個の単語を表示したが、仮名文字に対応する単語の数が６個に満たないときは、送信相手共通の仮名文字と単語を記憶したテーブルを不揮発性メモリ７に備え、送信相手共通のテーブルから読み出した単語も単語表示エリア３６に表示し、カーソル３７によって選択するようにしてもよい。
【００６０】
（第２実施例）
第２実施例では、表示部３に表示する順位は、直近のメールを作成したときに決定された単語が最上位に設定されている場合について説明する。
【００６１】
第２実施例の携帯電話は、第１実施例の図１を用いて説明したメール作成用単語変換装置１の構成と同じである。図８は、記憶部９に格納されたＡ氏のテーブルを示す表である。
【００６２】
図８は、送信相手をＡ氏としてメールを作成し、送信した後におけるＡ氏のテーブルの内容を示す。Ａ氏に送信したメールのメッセージにおいて、入力文字としての仮名文字「の」が入力され、「飲み２８」が選択されている。
【００６３】
図８に示すように、Ａ氏のテーブルの仮名文字「の」に対応する「飲み２８」は表示部３に表示する順位は１位である。このように、本実施例のメール作成用単語変換装置におけるＡ氏のテーブルの順位は、これから作成しようとするメールより以前に送信相手としてのＡ氏宛てに直近のメールを作成したときに決定された単語が最上位に設定されている。
【００６４】
また、本実施例では、図８の単語の列に記載された複数の単語における順位は、図３のＡ氏のテーブルに記載された順位を一つずつ繰り下げる。
【００６５】
このようにすれば、選択される可能性が高い単語の表示される順位が高くなる。これにより、送信相手によって選択される単語が異なっても、操作部４のカーソル用ボタン３２、３３を用いて、選択しようとする単語の位置までカーソル３７を移動させるボタン操作の回数を少なくすることができる。従って、メッセージの編集作業において、表示部３に表示された複数の単語のうちから、一つの単語を選択する作業効率を向上させることができる。
【００６６】
以上、第１実施例、第２実施例では、メール作成用単語変換装置１を含む電子機器としての携帯電話３０について説明したが、メール作成用単語変換装置を含む電子機器としてのパーソナルコンピュータでもよい。
【００６７】
また、第１実施例、第２実施例の記憶部９に格納したテーブルには、複数の単語と順位を格納したが、複数の単語を連結した複数の文節と、それぞれの文節の順位を格納したテーブルを記憶部９に備え、表示部３に複数の文節を表示するようにしてもよい。
【図面の簡単な説明】
【００６８】
【図１】メール作成用単語変換装置の構成を示すブロック図。
【図２】メール作成用単語変換装置を備えた携帯電話の外観斜視図。
【図３】（ａ）は、テーブルの内容を示す表、（ｂ）は、単語が表示部に表示される様子を示す図。
【図４】（ａ）は、テーブルの内容を示す表、（ｂ）は、単語が表示部に表示される様子を示す図。
【図５】記憶部に記憶されたテーブルに出現回数を記載した表。
【図６】表示部に複数の単語を表示するプログラムのフローチャート。
【図７】単語を表示部に表示する順位を決定するプログラムのフローチャート。
【図８】記憶部に格納されたテーブルを示す表。
【符号の説明】
【００６９】
１…メール作成用単語変換装置、２…入力部、３…表示部、４…操作部、５…制御部、６…選択部、９…記憶部、３０…携帯電話、３１…選択用ボタン、３２，３３…カーソル用ボタン、３４…入力用ボタン、３７…カーソル。
【図１】
2010009273.tif 000003
【図２】
2010009273.tif 000004
【図３】
2010009273.tif 000005
【図４】
2010009273.tif 000006
【図５】
2010009273.tif 000007
【図６】
2010009273.tif 000008
【図７】
2010009273.tif 000009
【図８】
2010009273.tif 000010